(57)【特許請求の範囲】
【請求項１】
パネルの壁面に他のパネルと結合固着するための係止凹部を形成してなるブロー成形製ハウジングパネルの製造方法において、ブロー成形金型のキャビティに、凹部を成形する突部を設けるとともに、係止凹部を成形する着脱自在の駒部材を上記突部の側面に密着させて配置し、上記ブロー成形金型によりパネルをブロー成形後、パネルをその係止凹部に駒部材を抱持したままでブロー成形金型から取り出し、パネルの係止凹部に抱持されている駒部材を突部により係止凹部に連設して成形された凹部に移動したうえ、駒部材をパネルから取り外すことを特徴とするハウジングパネルの製造方法。
【発明の詳細な説明】
【０００１】
【発明の属する技術分野】
本発明は、一方のパネルと他方のパネルを結合固着して各種ハウジングを構成するプラスチック製ハウジングパネルをブロー成形するハウジングパネルの製造方法に関する。
【０００２】
【従来の技術】
一方のパネルと他方のパネルを結合固着する構造のものであって、一方のパネルに係止凸条を設け、他方のパネルに嵌合凹部とそれと一連の係止凹部を設けて、一方のパネルの係止凸条を他方のパネルの嵌合凹部に一旦嵌合したうえ係止凹部側にスライドさせて固着するハウジングパネルは、実公平３−１３号公報に記載されている。
【０００３】
【発明が解決しようとする課題】
前掲の実公平３−１３号公報に記載されているハウジングパネルのように、嵌合凹部と係止凹部を設けた構成のパネルをブロー成形する場合には、係止凹部がブロー成形金型からの型抜き方向に対して係止する構造となるので、その部分をスライド構造とした金型によって成形している。
【０００４】
しかしながら、ブロー成形金型にスライド構造部分を設けることは金型構造が複雑になるだけでなく、成形工程も煩雑になり、成形効率の低下も避け難い。
【０００５】
そこで、本発明の目的は、ブロー成形金型からの型抜き方向に対して係止する構造の係止凹部を有するパネルであっても、特殊な構造のブロー成形金型を用いることなく、簡易に、しかも効率よくブロー成形することができるハウジングパネルの製造方法を提供することにある。
【０００６】
【課題を解決するための手段】
上記目的を達成するための本発明に係るハウジングパネルの製造方法は、パネルの壁面に他のパネルと結合固着するための係止凹部を形成してなるブロー成形製ハウジングパネルの製造方法において、ブロー成形金型のキャビティに、凹部を成形する突部を設けるとともに、係止凹部を成形する着脱自在の駒部材を上記突部の側面に密着させて配置し、上記ブロー成形金型によりパネルをブロー成形後、パネルをその係止凹部に駒部材を抱持したままでブロー成形金型から取り出し、パネルの係止凹部に抱持されている駒部材を突部により係止凹部に連設して成形された凹部に移動したうえ、駒部材をパネルから取り外すことを特徴とする。
【０００７】
【発明の実施の形態】
図１ないし図３は、本発明に係る製造方法により得られるハウジングパネルにより構成されたデスクを例示しており、図１はデスクの全体斜視図、図２はその分解斜視図、図３は要部の断面図である。また、図４ないし図６は、本発明に係るハウジングパネルの製造態様を例示しており、図４はブロー成形金型の断面図、図５（Ａ）〜（Ｄ）はブロー成形およびその後に駒部材を取り外す工程を順に示す断面図、図６は駒部材とブロー成形金型の要部の斜視図である。
【０００８】
図１ないし図３において、１，１は左右の側板、２は天板であって、左右の側板１，１は背板３によって所定の間隔を保持し、その上に天板２を組み付けてデスクを構成している。左右の側板１，１、天板２および背板３は、熱可塑性プラスチックをブロー成形した中空二重壁構造のハウジングパネルである。
【０００９】
上記側板１の上端面、すなわち天板２に対する接合面４には、前後部位に係止凸部５，５が形成されている。この係止凸部５，５は、それぞれ側板１の前後方向に長い立上げ部６の頂部に一体の張出し部７を有するものである。また、天板２の裏面８には、左右の側板１，１の各係止凸条５に対応する部位に、係止凸条５を一旦嵌合する凹部９とそれに一連をなす係止凹部１０が形成されている。この凹部９は、係止凸条５が緩く嵌合する形状をなしており、係止凹部１０は、天板２または側板１を係止凸条５の立上げ部６の長手方向にスライドさせることにより係止凸条５が結合固着する段部１１を有している。したがって、係止凹部１０はその開口部より内部が拡大した形状をなしている。
【００１０】
なお、左右の側板１，１と背板３も、背板３の両側端面に形成した係止凸条５と側板１，１の後端内面に形成した凹部９と係止凹部１０によって結合固着している。
【００１１】
凹部９およびそれと一連をなす係止凹部１０を有する天板２（以下、成形品という）は、図４および図５に示すようにブロー成形される。図４および図５において、１２，１２は一対のブロー成形金型であり、その一方の金型１２のキャビテイ１３には凹部９を成形する突部１４が一体に設けてあり、この突部１４に、係止凹部１０を成形する駒部材１５を密着して配置したうえ、一対のブロー成形金型１２，１２間にパリスン１６を配置してブロー成形する。上記駒部材１５は突部１４に、例えば磁気吸着により接合されるものであって着脱自在である。駒部材１５は、係止凹部１０の段部１１を形成する張出部１７を有している（図６参照）。１８はピンチオフ部である。なお、突部１４は別体のものをキャビティ１３に固着してもよい。
【００１２】
凹部９およびそれと一連をなす係止凹部１０を有する成形品のブロー成形においては、図５（Ａ）に示すように、ブロー成形金型１２のキャビテイ１３に設けた突部１４に駒部材１５を密着して配置したうえブロー成形するが、成形された天板２には、突部１４により凹部９が、駒部材１５により係止凹部１０が成形される。
【００１３】
ブロー成形後、ブロー成形金型１２，１２から取り出した成形品には、図５（Ｂ）に示すように、その係止凹部１０内に駒部材１５が抱持して残っているが、図５（Ｃ）に示すように、駒部材１５を凹部９側に移動したうえ、図５（Ｄ）に示すように、駒部材１５をそれより大きい凹部９から容易に取り出すことができる。上記のように成形された係止凹部１０には、係止凸条５を係止固着する段部１１が形成されている。
【００１４】
図１ないし図３に示すデスクにおいては、左右の側板１，１にも凹部９および係止凹部１０を有しているので、それも天板２と同様にブロー成形される。
【００１５】
なお、図１ないし図３には、本発明の実施の形態としてデスクを例示したが、本発明に係る方法で製造されるハウジングパネルは、間仕切りなどの屋内構造体、各種機器のハウジング、キャビネット類、その他各種ハウジングの構成材となるものである。
【００１６】
【発明の効果】
本発明に係るハウジングパネルの製造方法によれば、ブロー成形金型のキャビティに、凹部を成形する突部を設けるとともに、係止凹部を成形する着脱自在の駒部材を上記突部の側面に密着させて配置し、上記ブロー成形金型によりパネルをブロー成形後、パネルをその係止凹部に駒部材を抱持したままでブロー成形金型から取り出し、パネルの係止凹部に抱持されている駒部材を突部により係止凹部に連設して成形された凹部に移動したうえ、駒部材をパネルから取り外すことにより、ブロー成形金型からの型抜き方向に対して係止する構造の係止凹部を有するパネルであっても、特殊な構造のブロー成形金型を用いることなく、簡易に、しかも効率よくブロー成形することができる。
【図面の簡単な説明】
【図１】本発明に係る方法により製造されたハウジングパネルで構成したデスクの全体斜視図である。
【図２】図１に示すデスクの分解斜視図である。
【図３】図１の要部の断面図である。
【図４】本発明に係るハウジングパネルのブロー成形態様を示すブロー成形金型の断面図である。
【図５】図４のブロー成形およびその後に駒部材を取り外す工程を順に示す断面図である。
【図６】駒部材とブロー金型の要部の斜視図である。
【符号の説明】
１，１  側板
２  天板
３  背板
４  接合面
５，５  係止凸部
６  立上げ部
７  張出し部
８  裏面
９  凹部
１０  係止凹部
１１  段部
１２，１２  ブロー成形金型
１３  キャビティ
１４  突部
１５  駒部材
１６  パリスン
１７  張出部
１８  ピンチオフ部
【図１】
0003629097.tif 000002
【図２】
0003629097.tif 000003
【図３】
0003629097.tif 000004
【図４】
0003629097.tif 000005
【図５】
0003629097.tif 000006
【図６】
0003629097.tif 000007